(57)【要約】【課題】強度が高く、食事等の際に利用するテーブルが折り畳み式に設けられた、部品点数の少ない仏事用の椅子を提供する。【解決手段】シートと、該シートに固着された脚と、前記シートおよび脚の少なくとも１つに支持された背もたれと、前記背もたれの背部に設けられた軸受けに支持される軸が設けられた板状部材とからなり、前記板状部材が前記背もたれに設けられた係止部によって係止され、前記板状部材が起こされた状態に維持することができ、前記係止状態が解除されたときに、前記板状部材が水平状態となるよう、前記板状部材の一部と当接する当接体が背もたれに設けられており、仏事用であることを特徴としている椅子であって、前記背もたれが、前記脚と一体的に形成された背部骨格体と、該背部骨格体に支持されたクッション部とからなる。【選択図】図２
0003134556.tif 000002
【実用新案登録請求の範囲】
【請求項１】
シートと、
該シートに固着された脚と、
前記シートおよび脚の少なくとも１つに支持された背もたれと、
前記背もたれの背部に設けられた軸を支持する軸受けを備えた板状部材とからなり、
前記板状部材が前記背もたれに設けられた係止部によって係止され、前記板状部材が起こされた状態に維持することができ、前記係止状態が解除されたときに、前記板状部材が水平状態となるよう、前記板状部材の一部と当接する当接体が背もたれに設けられていることを特徴とする仏事用の椅子。
【請求項２】
シートと、
該シートに固着された脚と、
前記シートおよび脚の少なくとも１つに支持された背もたれと、
前記背もたれの背部に設けられた軸受けに支持される軸が設けられた板状部材とからなり、
前記板状部材が前記背もたれに設けられた係止部によって係止され、前記板状部材が起こされた状態に維持することができ、前記係止状態が解除されたときに、前記板状部材が水平状態となるよう、前記板状部材の一部と当接する当接体が背もたれに設けられていることを特徴とする仏事用の椅子。
【請求項３】
前記背もたれが、前記脚と一体的に形成された背部骨格体と、
該背部骨格体に支持されたクッション部とからなる請求項１または２記載の椅子。
【考案の詳細な説明】
【技術分野】
【０００１】
本考案は、仏事用の椅子に関する。さらに詳しくは、シートと脚と背もたれとからなる椅子であって、前記背もたれの背部に水平方向に延設された軸に回転可能に支持されたテーブルが設けられていることを特徴とする仏事用の椅子に関する。
【背景技術】
【０００２】
たとえば、特許文献１には、支持部にレールが複数段設けられ、自在に高さを調節できる椅子の技術が開示されている。使用者は、必要時にシート部を取り外し、指示部に設置されたレールのうち、適切な高さのレールに対してシート部を設置し、高さを調節する。
【０００３】
また、特許文献２には、背もたれやシートの一部が破損した際に、容易に着脱し、交換可能な椅子の技術が開示されている。使用者は、着脱の際に無理な姿勢を取らず、容易に損傷部位を交換可能である。
【０００４】
また、特許文献３には、自動車のシート席シートに取り付け、後部シート席の同乗者が、飲食物をはじめとする種々の物品を収納もしくは飲食物等を置くことできる収納ケースの技術が開示されている。
【０００５】
【特許文献１】登録実用新案第３１２４６２１号公報
【特許文献２】実開平６−６６３９３号公報
【特許文献３】登録実用新案第３００３１８８号公報
【考案の開示】
【考案が解決しようとする課題】
【０００６】
しかし、上記特許文献１または特許文献２の技術では、シート部と背部が一体であるものの、使用者の荷重のかかる脚とは一体となっておらず、椅子の強度が劣り、ひいては耐用年数がそれほど長くないという問題がある。
【０００７】
また、上記特許文献３の技術では、収納ケースがシート席シートと着脱可能ではあるものの、シート席シート内部への収納ケースの収納は不可能であり、結果として無駄なスペースをとるという問題がある。
【０００８】
本考案は、上記従来の問題に鑑みてなされたものであり、強度が高く、食事等の際に利用するテーブルが折り畳み式に設けられた、部品点数の少ない仏事用の椅子を提供することを目的としている。
【課題を解決するための手段】
【０００９】
本考案の第１の態様にかかわる椅子は、シートと、該シートに固着された脚と、前記シートおよび脚の少なくとも１つに支持された背もたれと、前記背もたれの背部に設けられた軸を支持する軸受けを備えた板状部材とからなり、前記板状部材が前記背もたれに設けられた係止部によって係止され、前記板状部材が起こされた状態に維持することができ、前記係止状態が解除されたときに、前記板状部材が水平状態となるよう、前記板状部材の一部と当接する当接体が背もたれに設けられていることを特徴としている、仏事用の椅子である。
【００１０】
本考案の第２の態様にかかわる椅子は、シートと、該シートに固着された脚と、前記シートおよび脚の少なくとも１つに支持された背もたれと、前記背もたれの背部に設けられた軸受けに支持される軸が設けられた板状部材とからなり、前記板状部材が前記背もたれに設けられた係止部によって係止され、前記板状部材が起こされた状態に維持することができ、前記係止状態が解除されたときに、前記板状部材が水平状態となるよう、前記板状部材の一部と当接する当接体が背もたれに設けられていることを特徴としている、仏事用の椅子である。
【００１１】
また、前記背もたれが、前記脚と一体的に形成された背部骨格体と、該背部骨格体に支持されたクッション部とからなることが好ましい。
【考案の効果】
【００１２】
本考案の椅子は、背もたれの背部に設けられた軸を支持する軸受けを備えた板状部材、または、背もたれの背部に設けられた軸受けに支持される軸が設けられた板状部材が設けられており、これにより、必要時に自在に引き出し、テーブルとして使用し、不必要なときは容易に折り畳み可能である。また、本考案の椅子は、背もたれが、脚と一体的に形成された背部骨格体を有する。これにより、荷重に対して充分な強度を有する。
【考案を実施するための最良の形態】
【００１３】
本考案の椅子には、シートと、該シートに固着された脚と、前記シートおよび脚の少なくとも１つに支持された背もたれと、前記背もたれの背部に設けられた軸を支持する軸受けを備えた板状部材、または、前記背もたれの背部に設けられた軸受けに支持される軸が設けられた板状部材が備え付けられている。
【００１４】
以下で、添付図面を参照して、本考案を詳細に説明する。なお、本明細書において「前方」および「後方」とは、それぞれ椅子の背面の反対側および椅子の背板の側をいう。
【００１５】
図１は、本考案の椅子を説明するための斜視図であり、図２は、本考案の椅子の側面図、図３（ａ）は、背もたれと板状部材の側面図、図３（ｂ）は、背もたれと板状部材の正面図、図４（ａ）は、実施の形態１における背もたれの背面図、図４（ｂ）は、実施の形態２における背もたれの背面図である。
【００１６】
実施の形態１
実施の形態１の椅子１００は、図１、図２、図３（ａ）に示されるように、シート１と脚３ａ、３ｂ、３ｃおよび３ｄと背もたれ２とから構成されている。また、脚３ｃおよび脚３ｄは脚３ａおよび脚３ｂよりも長く、脚３ｃおよび３ｄの上部は、ゴムノキからなる板２ｃを介して背もたれ２を構成している。このように背部骨格対を構成することで、充分な強度を付与することができる。
【００１７】
また、シート１と、脚３ａ、３ｂ、３ｃおよび３ｄは、くぎやねじ等の固着手段により直接接続されておらず、脚３ａおよび脚３ｃは、シート１の裏側前部から後部にかけて伸びる添え木５を介してダボと接着剤を用いて接続されている。脚３ｂおよび脚３ｄにおいても同様の方法で接続されている。このようにすることにより、外観上の見栄えがよく、また素材（木）に傷がつかない。
【００１８】
また、脚３ａと脚３ｂは、添え木６により接続されており、脚３ａと脚３ｂの幅を調節する役割を有する。同様に、脚３ｃと脚３ｄは添え木７により接続されており、脚３ｃと脚３ｄの幅を調節する役割を有する。４本の脚３と、４本の添え木により、シート１を設置するための土台を構成し、シート１にかかる荷重を、それぞれの脚３に分散する役割を有する。
【００１９】
シート１は、前述のように構成された土台に対して設置されており、シート１は、ねじを用いて添え木５に固定されている。
【００２０】
背もたれ２の背部には、水平方向に延設された軸１７に回転可能に支持された板状部材１３が設けられている。
【００２１】
図３（ａ）に示されるように、背もたれ２は、脚３ｃと脚３ｄの上部が、板２ｃを介して構成されており、使用者は、着座の際に、後ろにもたれることができる。
【００２２】
また、脚３ａ、３ｂ、３ｃおよび３ｄは、着座の際にシート１にかかる荷重を分散させることができる。
【００２３】
また、脚３ａおよび脚３ｂは、床面に対して垂直であるが、脚３ｃおよび脚３ｄは、傾斜しており、椅子全体を横から見ると、「八の字」となっている。また、脚３ｃおよび脚３ｄは、脚３ａおよび脚３ｂに対して長く、背もたれ２を構成するための側木を兼ねている。
【００２４】
前述のように、前後の脚は、前述のように「八の字」であるため、着座の際にシート１から伝わる荷重を均等に分散することができない。そのため、前後の脚は、左右それぞれが床面付近で、添え木４により接続されており、着座の際に４本の脚にかかる荷重を分散させる役割を持つ。
【００２５】
添え木４と脚３ｃは、金属４ａを介して接続されており、くぎやねじ等の固着手段により直接接続されていない。このようにすることにより、外観上の見栄えがよく、また素材（木）に傷がつかない。また、添え木４の存在により、使用者が着座した際に、荷重を脚に対して均等に分散させることができる。
【００２６】
図２に示されるように、シート１は、着座するための部位であり、クッション１ａからなる。クッション１ａは、ウレタンからなり、内部には強度を付与するためのベニヤ材１ｂが敷かれている。それにより、シート１が強固となり、また、使用者が着座した際の荷重をそれぞれの脚に分散することができる。
【００２７】
図３（ａ）に示されるように、脚３ｃおよび脚３ｄは、上部において３箇所で、冶具１１を介して、背もたれ２を構成する板２ｃと接続されている。
【００２８】
また、背もたれ２には、脚３ｃおよび脚３ｄと同幅のクッション２ａが付属されており、使用者がもたれた際の負担を軽減する役割を有する。
【００２９】
さらに、背もたれ２のクッション２ａは、ウレタンからなり、シート１のクッション１ａと同様に、内部には強度を保つため、また、クッション２ａを背もたれ２と固定する際のねじ１２が通る部位として、ベニヤ材２ｂが敷かれている。クッション２ａは、クッション２ａに内部の金属２ｂに対して背もたれ２背部からねじ１２を用いて固定している。ねじ１２の長さは、金属２ｂと板２ｃの厚みの和に対して短く、ねじ止めした際に、板２ｃ中に埋まった状態となり、生じた溝を埋めるために、ウッドキャップ２０がそれぞれのねじ穴に設置されている。
【００３０】
図３（ｂ）に示されるように、脚３ｄと板状部材１３は、軸１７を用いて接続されている。この軸１７は、丸ナット１４、パイプ１５、ワッシャー１６、ボールト８から構成され、板状部材１３を引き出す際に、ワッシャー１６を介して摩擦が発生し、適した位置で固定できるよう工夫されている。
【００３１】
また、前記板状部材１３は、床面に対して水平位置まで引き出すと、板状部材１３の軸１７側一端が板２ｃの下部と当接することで水平以下に傾くことがないよう工夫されている。
【００３２】
本考案では、背もたれ２を構成する板２ｃが、当接体として機能するが、板２ｃの代わりに当接体として異なる冶具を設置してもなんら問題なく、冶具の形状も問わない。
【００３３】
また、板状部材１３を折り畳む際は、板状部材の長手方向に設置されたボール９が、折り畳んだ際に脚３ｄの上部に設置されたボールキャッチ１０に収まることで係止され、板状部材１３そのものの重みで係止が解除されることがないよう工夫されている。
【００３４】
ボールキャッチ１０は、脚３ｃの内側から金属２２を介して２箇所でねじ２１により固着されている。
【００３５】
また、本考案における背もたれ２背部と板状部材１３の接続方法は、前記のような軸１７による接続方法に限らない。
【００３６】
例えば、図４（ａ）に示されるように、板状部材１３の側縁下部に軸１８、脚３ｃと脚３ｄに軸受け１９を設置してもよい。また、軸１８は、板状部材１３内を貫通している必要はない。
【００３７】
実施の形態２
実施の形態２の椅子１０１は、図４（ｂ）に示されるように、板状部材１３の下部に軸受け１９、脚３ｃと脚３ｄに軸１８が設置されている点を除き、実施の形態１と同様である。
【００３８】
本実施の形態の椅子１００および１０１は、主に仏事用として用いられる。
【００３９】
また、前記板状部材１３が前記脚３ｄに設けられた係止部（ボールキャッチ１０）によって係止される際、係止部（ボールキャッチ１０）は１箇所に限らず複数箇所でもなんら問題ない。
【００４０】
以上のように、本実施の形態の椅子１００および１０１は、シート１と、該シート１に固着された脚３と、前記シート１および脚３の少なくとも１つに支持された背もたれ２と、前記背もたれ２の背部に設けられた軸１８を支持する軸受け１９を備えた板状部材１３、または前記背もたれ２の背部に設けられた軸受け１９に支持される軸１８が設けられた板状部材１３とからなり、前記板状部材１３が前記背もたれ２によって解除可能に係止されて、前記板状部材１３が起こされた状態に維持することができ、前記板状部材１３と前記背もたれ２との係止状態が解除されたときに、前記板状部材１３が実質的に水平の状態で維持するために、前記板状部材１３の一部と当接する当接体（板２ｃ）が背もたれ２に設けられていることを特徴とし、これにより、使用者が必要時に板状部材１３を自在に引き出し、テーブルとして使用し、不必要なときは容易に収納可能であり、無駄なスペースを取らない椅子を提供することができる。
【００４１】
本考案の椅子１００および１０１は、特に限定されないが、仏事において長時間の着座が困難なお年寄りや子供向けの椅子、あるいは、仏事後の簡単な食事や懇親の場での食事等の際に使用することができる。
【図面の簡単な説明】
【００４２】
【図１】本考案の椅子を説明するための斜視図である。
【図２】本考案の椅子の側面図である。
【図３（ａ）】本考案の椅子の背もたれと板状部材の側面図である。
【図３（ｂ）】本考案の椅子の背もたれと板状部材の正面図である。
【図４】（ａ）〜（ｂ）は、本考案における実施の形態１および実施の形態２での椅子の背もたれの背面図である。
【符号の説明】
【００４３】
１  シート
１ａ、２ａ  クッション
１ｂ、２ｂ  ベニヤ材
２  背もたれ
２ｃ  板
３    脚
３ａ、３ｂ、３ｃ、３ｄ  脚
４、５、６、７  添え木
４ａ、２２  金属
８  ボールト
９  ボール
１０  ボールキャッチ
１１  冶具
１２、２１  ねじ
１３  板状部材
１４  丸ナット
１５  パイプ
１６  ワッシャー
１７、１８  軸
１９  軸受け
２０  ウッドキャップ
１００、１０１  椅子
【図１】
0003134556.tif 000003
【図２】
0003134556.tif 000004
【図３（ａ）】
0003134556.tif 000005
【図３（ｂ）】
0003134556.tif 000006
【図４】
0003134556.tif 000007